(57)【特許請求の範囲】
【請求項１】
２層に重ね合わされた胴材と、前記胴材の両側縁に沿ってのび、前記胴材の両層間に折り込まれ、２つ折りされており、２つ折り内側縁および開放外側縁を有する一対のサイドガセット材とからなり、前記サイドガセット材の一端部分が２つ折りされたままで斜めに折り曲げられ、その折り曲げ線は前記サイドガセット材の一端縁と２つ折り内側縁の交点を頂点とする三角形の底辺からなり、これによって前記サイドガセット材の三角フラップが形成され、前記三角フラップは２つ折り斜辺および開放斜辺を有し、前記胴材、前記サイドガセット材および前記三角フラップが前記胴材の両側縁に沿ってヒートシールされ、一定幅のヒートシール部分が前記胴材の両側縁に沿って形成されており、そのヒートシール部分内に前記開放斜辺全体が配置され、前記三角フラップを含む所定部分の位置において、前記ヒートシール部分が袋内方に膨出し、前記三角フラップの頂点の下側において、前記ヒートシール部分にその膨出部分が形成されていることを特徴とするプラスチック袋。
【発明の詳細な説明】
【技術分野】
【０００１】
この発明は、プラスチック袋に関するものである。
【背景技術】
【０００２】
最近、胴材とサイドガセット材によってプラスチック袋が製造されることが多い。たとえば、特開２００４−１００５５（特許文献１）に記載されているものがそれである。図２に示すように、同公報のプラスチック袋は一対のサイドガセット材１を有し、胴材２が２層に重ね合わされ、サイドガセット材１は胴材２の両側縁３に沿ってのび、胴材２の両層間に折り込まれ、２つ折りされる。したがって、図３に示すように、サイドガセット材１は２つ折り内側縁４および開放外側縁５を有する。さらに、胴材２とサイドガセット材１が胴材２の両側縁３に沿ってヒートシールされ、そのヒートシール部分６が胴材２の両側縁３に沿って形成される。
【０００３】
さらに、同公報のプラスチック袋では、図４および図５に示すように、サイドガセット材１の一端部分が２つ折りされたままで斜めに折り曲げられ、その折り曲げ線７はサイドガセット材１の一端縁８と２つ折り内側縁４の交点を頂点とする三角形の底辺からなる。これによってサイドガセット材１の三角フラップ９が形成される。したがって、三角フラップ９は２つ折り斜辺１０および開放斜辺１１を有する。さらに、三角フラップ９とサイドガセット材１が三角フラップ９の２つ折り斜辺１０に沿ってヒートシールされ、そのヒートシール部分１２が三角フラップ９の２つ折り斜辺１０に沿って形成される。そして、それが胴材２の両層間に挿入され、胴材２、サイドガセット材１および三角フラップ９が胴材２の両側縁３に沿ってヒートシールされ、そのヒートシール部分６が胴材２の両側縁３に沿って形成される。
【０００４】
なお、折り曲げ線７はサイドガセット材１の一端縁８と開放外側縁５の交点に達し、サイドガセット材１の一端縁８と開放外側縁５間の角度を２等分する２等分線からなる。したがって、サイドガセット材１によってその三角フラップ９が形成されたとき、その開放斜辺１１と開放外側縁５が互いに整合する。
【０００５】
さらに、同公報のプラスチック袋では、チャック１３がプラスチック袋と組み合わされる。チャック１３は一般に使用されているところのもので、雌部材にはめ込まれる雄部材を有する。雄部材および雌部材はテープと一体成型され、胴材２の一端縁１４に沿ってのび、胴材２の両層間に配置される。そして、胴材２の両層が雄部材および雌部材のテープにヒートシールされる。さらに、胴材２の両層がその一端縁１４に沿ってヒートシールされ、ヒートシール部分６が胴材２の一端縁１４に沿って形成される。さらに、収容物がプラスチック袋に充填され、その後、胴材２の両層がその他端縁１５に沿ってヒートシールされ、ヒートシール部分６が胴材２の他端縁１５に沿って形成される。したがって、一端縁１４とチャック１３間において、胴材２を切り取り線１６に沿って切り取ると、チャック１３によってプラスチック袋を開くことができ、閉じることもできる。
【０００６】
ところで、この場合、収容物をプラスチック袋に充填したとき、サイドガセット材１によってプラスチック袋が拡げられる。したがって、その容量が増大するが、サイドガセット材１によってプラスチック袋が拡げられるとき、三角フラップ９を含む所定部分が角張った状態で突出するきらいがある。
【０００７】
なお、三角フラップ９およびサイドガセット材１については、必ずしもその開放斜辺１１と開放外側縁５を整合させる必要はない。図６に示すように、開放斜辺１１が開放外側縁５に対し一定角度傾斜し、両者間に間隔が形成されるようにしてもよい。この場合、２つ折り斜辺１０と開放斜辺１１が互いに直角であれば、２つ折り斜辺１０は開放外側縁５に直角ではなく、一定角度傾斜する。そして、胴材２と三角フラップ９が胴材２の両側縁３に沿ってヒートシールされ、三角フラップ９とサイドシール材１が胴材２の両側縁３に沿ってヒートシールされ、開放斜辺１１と開放外側縁５間で胴材２とサイドガセット材１がヒートシールされる。これによってそのヒートシール部分６が形成される。
【０００８】
さらに、図７に示すように、サイドガセット材１の一端縁８において、これを２つ折りされたままで斜めに切除する。その後、サイドガセット材１の一端部分を折り曲げ線７に沿って折り曲げ、図８に示すように、開放斜辺１１が開放外側縁５に対し一定角度傾斜するようにしてもよい。この場合、２つ折り斜辺１０は開放外側縁５に直角にのびるようにすることも可能である。サイドガセット材１の一端縁８において、これを大きく斜めに切除し、図９に示すように、２つ折り斜辺１０が逆方向に傾斜するようにしてもよい。
【０００９】
さらに、サイドガセット材１の一端部分を折り曲げ線７に沿って折り曲げ、図１０に示すように、サイドガセット材１の一端縁８と開放外側縁５の交点付近において、折り曲げ線７がサイドガセット材１の一端縁８と交差するようにしてもよい。開放斜辺１１が開放外側縁５に対し一定角度傾斜するようにしてもよい。そして、胴材２と三角フラップ９を胴材２の両側縁３に沿ってヒートシールし、三角フラップ９とサイドガセット材１を胴材２の両側縁３に沿ってヒートシールし、開放斜辺１１と開放外側縁５間で胴材２とサイドガセット材１をヒートシールする。これによってそのヒートシール部分１２を形成してもよい。図１１に示すように、開放斜辺１１が逆方向に傾斜するようにしてもよい。
【００１０】
この他、図１２に示すように、サイドガセット材１の一端部分を２つ折りされたままで斜めに折り曲げる前、その片層を外向きに折り曲げてもよい。その折り曲げ線はサイドガセット材１の一端縁８と開放外側縁５の交点を頂点とする三角形の底辺からなる。これによって片層の三角フラップ１７を形成し、その頂点を三角フラップ９の折り曲げ線７上の任意の一点に位置させる。その後、サイドガセット材１の一端部分および三角フラップ１７を折り曲げ線７に沿って折り曲げ、図１３に示すように、三角フラップ１７の両斜辺１８が互いに整合し、三角フラップ９によってそれが被覆されるようにする。その後、三角フラップ９，１７の２つ折り斜辺１０と整合斜辺１８間で三角フラップ９とサイドガセット材１をヒートシールし、ヒートシール部分１２を三角フラップ９の２つ折り斜辺１０に沿って形成する。そして、それを胴材２の両層間に挿入し、胴材２、サイドガセット材１および三角フラップ９を胴材２の両側縁３に沿ってヒートシールしてもよい。
【００１１】
しかしながら、いずれにしても、収容物の充填にともない、サイドガセット材１によってプラスチック袋が拡げられるとき、三角フラップ９を含む所定部分が角張った状態で突出するきらいがあることは図２のプラスチック袋と同様である。
【００１２】
なお、図２〜図１３のプラスチック袋では、胴材２およびサイドガセット材１にラミネートフィルムが使用される。ラミネートフィルムはシーラントと基材をラミネートしたものである。そして、ポリエチレン、ポリプロピレンなどのシーラントによって胴材２の内面が形成され、ナイロンなどの基材によって胴材２の外面が形成される。さらに、２つ折りされた状態のサイドガセット材１において、ポリエチレン、ポリプロピレンなどのシーラントによってサイドガセット材１の外面が形成され、ナイロンなどの基材によってサイドガセット材１の内面が形成される。したがって、サイドガセット材１の三角フラップ９についても、シーラントによってその外面が形成され、基材によって三角フラップ９の内面が形成される。
【００１３】
したがって、この発明は、サイドガセット材の三角フラップを形成したプラスチック袋において、収容物の充填にともない、サイドガセット材によってプラスチック袋が拡げられるとき、三角フラップを含む所定部分が角張った状態で突出しないようにすることを目的としてなされたものである。
【特許文献１】特開２００４−１００５５
【発明の開示】
【００１４】
この発明によれば、２層に重ね合わされた胴材と、前記胴材の両側縁に沿ってのび、前記胴材の両層間に折り込まれ、２つ折りされており、２つ折り内側縁および開放外側縁を有する一対のサイドガセット材とからなり、前記サイドガセット材の一端部分が２つ折りされたままで斜めに折り曲げられ、その折り曲げ線は前記サイドガセット材の一端縁と２つ折り内側縁の交点を頂点とする三角形の底辺からなり、これによって前記サイドガセット材の三角フラップが形成され、前記三角フラップは２つ折り斜辺および開放斜辺を有し、前記胴材、前記サイドガセット材および前記三角フラップが前記胴材の両側縁に沿ってヒートシールされ、一定幅のヒートシール部分が前記胴材の両側縁に沿って形成されており、そのヒートシール部分内に前記開放斜辺全体が配置され、前記三角フラップを含む所定部分の位置において、前記ヒートシール部分が袋内方に膨出し、前記三角フラップの頂点の下側において、前記ヒートシール部分にその膨出部分が形成されていることを特徴とするプラスチック袋が提供される。
【発明を実施するための最良の形態】
【００１５】
以下、この発明の実施例を説明する。
【００１６】
図１はこの発明にかかるプラスチック袋を示す。図２のプラスチック袋と同様、このプラスチック袋も一対のサイドガセット材１を有し、胴材２が２層に重ね合わされ、サイドガセット材１は胴材２の両側縁３に沿ってのび、胴材２の両層間に折り込まれ、２つ折りされている。したがって、サイドガセット材１は２つ折り内側縁４および開放外側縁５を有する。さらに、胴材２とサイドガセット材１が胴材２の両側縁３に沿ってヒートシールされ、そのヒートシール部分６が胴材２の両側縁３に沿って形成されている。
【００１７】
さらに、図２のプラスチック袋と同様、サイドガセット材１の一端部分が２つ折りされたままで斜めに折り曲げられており、その折り曲げ線７はサイドガセット材１の一端縁８と２つ折り内側縁４の交点を頂点とする三角形の底辺からなる。これによってサイドガセット材１の三角フラップ９が形成されている。したがって、三角フラップ９は２つ折り斜辺１０および開放斜辺１１を有する。さらに、三角フラップ９とサイドガセット材１が三角フラップ９の２つ折り斜辺１０に沿ってヒートシールされ、そのヒートシール部分１２が三角フラップ９の２つ折り斜辺１０に沿って形成されている。そして、それが胴材２の両層間に挿入され、胴材２、サイドガセット材１および三角フラップ９が胴材２の両側縁３に沿ってヒートシールされ、そのヒートシール部分６が胴材２の両側縁３に沿って形成されている。
【００１８】
さらに、このプラスチック袋では、サイドガセット材１の一端部分が折り曲げ線７に沿って折り曲げられるが、図１０のプラスチック袋と同様、サイドガセット材１の一端縁８と開放外側縁５の交点付近において、折り曲げ線７がサイドガセット材１の一端縁８と交差する。したがって、三角フラップ９の開放斜辺１１がサイドガセット材１の開放外側縁５に整合せず、間隔を置いて配置される。そして、胴材２と三角フラップ９が胴材２の両側縁３に沿ってヒートシールされ、三角フラップ９とサイドガセット材１が胴材２の両側縁３に沿ってヒートシールされ、開放斜辺１１と開放外側縁５間で胴材２とサイドガセット材１がヒートシールされる。これによってそのヒートシール部分６が形成される。
【００１９】
さらに、このプラスチック袋では、三角フラップ９を含む所定部分の位置において、ヒートシール部分６が袋内方に膨出しており、ヒートシール部分６にその膨出部分１９が形成されている。たとえば、三角フラップ９の頂点近傍において、ヒートシール部分６が袋内方に膨出し、ヒートシール部分６にその膨出部分１９が形成される。この実施例では、三角フラップ９の頂点の下側において、ヒートシール部分６が袋内方に膨出しており、ヒートシール部分６にその膨出部分１９が形成されている。
【００２０】
さらに、図２のプラスチック袋と同様、このプラスチック袋でも、チャック１３がプラスチック袋と組み合わされる。チャック１３は雌部材にはめ込まれる雄部材を有し、胴材２の一端縁１４に沿ってのび、胴材２の両層間に配置される。そして、胴材２の両層が雄部材および雌部材のテープにヒートシールされる。さらに、胴材２の両層がその一端縁１４に沿ってヒートシールされる。さらに、収容物がプラスチック袋に充填され、その後、胴材２の両層がその他端縁１５に沿ってヒートシールされる。したがって、一端縁１４とチャック１３間において、胴材２を切り取り線１６に沿って切り取ると、チャック１３によってプラスチック袋を開くことができ、閉じることもできる。
【００２１】
したがって、このプラスチック袋の場合、収容物をプラスチック袋に充填したとき、サイドガセット材１によってプラスチック袋が拡げられる。したがって、その容量が増大するが、三角フラップ９を含む所定部分については、ヒートシール部分６にその膨出部分１９が形成されていることは前述したとおりである。したがって、サイドガセット材１によってプラスチック袋が拡げられるとき、膨出部分１９によってそれが制限され、三角フラップ９を含む所定部分が角張った状態で突出することはない。
【００２２】
なお、このプラスチック袋でも、胴材２およびサイドガセット材１にラミネートフィルムが使用されていることは図２〜図１３のプラスチック袋と同様である。ラミネートフィルムはシーラントと基材をラミネートしたものである。そして、ポリエチレン、ポリプロピレンなどのシーラントによって胴材２の内面が形成されており、ナイロンなどの基材によって胴材２の外面が形成されている。さらに、２つ折りされた状態のサイドガセット材１において、ポリエチレン、ポリプロピレンなどのシーラントによってサイドガセット材１の外面が形成され、ナイロンなどの基材によってサイドガセット材１の内面が形成されている。したがって、サイドガセット材１の三角フラップ９についても、シーラントによってその外面が形成され、基材によって三角フラップ９の内面が形成される。
【図面の簡単な説明】
【００２３】
【図１】この発明の実施例を示す説明図である。
【図２】従来のプラスチック袋の平面図である。
【図３】図２のプラスチック袋の分解図である。
【図４】図２のサイドガセット材の折り曲げ線を示す説明図である。
【図５】図４のサイドガセット材が折り曲げられ、三角フラップが形成された状態を示す説明図である。
【図６】他の三角フラップが形成された状態を示す説明図である。
【図７】他のサイドガセット材の折り曲げ線を示す説明図である。
【図８】図７のサイドガセット材が折り曲げられ、三角フラップが形成された状態を示す説明図である。
【図９】他の三角フラップが形成された状態を示す説明図である。
【図１０】他の三角フラップが形成された状態を示す説明図である。
【図１１】他の三角フラップが形成された状態を示す説明図である。
【図１２】他のサイドガセット材の折り曲げ線を示す説明図である。
【図１３】図１２のサイドガセット材が折り曲げられ、三角フラップが形成された状態を示す説明図である。
【符号の説明】
【００２４】
１  サイドガセット材
２  胴材
３  胴材の両側縁
４  ２つ折り内側縁
５  開放外側縁
６  ヒートシール部分
７  折り曲げ線
９  三角フラップ
１０  ２つ折り斜辺
１１  開放斜辺
１９  膨出部分
【図１】
0004806565.tif 000002
【図２】
0004806565.tif 000003
【図３】
0004806565.tif 000004
【図４】
0004806565.tif 000005
【図５】
0004806565.tif 000006
【図６】
0004806565.tif 000007
【図７】
0004806565.tif 000008
【図８】
0004806565.tif 000009
【図９】
0004806565.tif 000010
【図１０】
0004806565.tif 000011
【図１１】
0004806565.tif 000012
【図１２】
0004806565.tif 000013
【図１３】
0004806565.tif 000014